(57)【特許請求の範囲】
【請求項１】
時間によって変化する物理量を示す物理量情報を、ユーザに提供する物理量情報提供システムであって、
測定装置と携帯情報端末と情報処理装置とを備え、
上記測定装置は、
上記物理量を測定する物理量測定部と、
測定した上記物理量から上記物理量情報を生成する物理量情報生成部と、
第３の期間毎に、上記物理量情報を上記携帯情報端末に送信し、上記第３の期間より長い第４の期間毎に、上記物理量情報を上記情報処理装置に送信する情報送信部とを備え、
上記情報処理装置は、複数の上記測定装置から受信した、第１の期間とは異なる第２の期間の上記物理量情報を記憶する第２記憶部を備え、
上記携帯情報端末は、
上記測定装置から受信した、上記第１の期間の上記物理量情報を記憶する第１記憶部と、
ユーザから、上記第１の期間または上記第２の期間のいずれの期間の上記物理量情報を表示するかを示す表示期間の指定を受け付ける指示入力部と、
該ユーザに指定された上記表示期間に応じて、上記第１記憶部または上記第２記憶部のいずれの記憶部から上記物理量情報を取得するかを特定し、特定した該記憶部から上記物理量情報を取得する情報取得部と、
上記情報取得部が取得した上記物理量情報を表示する制御を行う表示制御部とを備えることを特徴とする物理量情報提供システム。
【請求項２】
上記第１記憶部は、上記第１の期間だけ上記物理量情報を記憶しており、
上記第２記憶部は、上記第２の期間だけ上記物理量情報を記憶しており、
上記第２の期間は、上記第１の期間より長く、
上記情報取得部は、上記第１記憶部から優先的に上記物理量情報を取得し、上記ユーザに指定された上記表示期間の上記物理量情報が上記第１記憶部に記憶されていない場合、上記第２記憶部から上記物理量情報を取得することを特徴とする請求項１に記載の物理量情報提供システム。
【請求項３】
上記第１記憶部が記憶する上記物理量情報の時間刻みは、上記第２記憶部が記憶する上記物理量情報の時間刻みよりも細かいことを特徴とする請求項１または２に記載の物理量情報提供システム。
【請求項４】
携帯情報端末、および情報処理装置と通信可能である測定装置であって、
時間によって変化する物理量を測定する物理量測定部と、
上記物理量を示す物理量情報を生成する物理量情報生成部と、
第３の期間毎に、上記物理量情報を上記携帯情報端末に送信し、上記第３の期間より長い第４の期間毎に、上記物理量情報を上記情報処理装置に送信する情報送信部とを備えることを特徴とする測定装置。
【請求項５】
時間によって変化する物理量を示す物理量情報を、測定装置と携帯情報端末と情報処理装置とを用いてユーザに提供する物理量情報提供方法であって、
上記測定装置において、
上記物理量を測定する物理量測定ステップと、
測定した上記物理量から上記物理量情報を生成する物理量情報生成ステップと、
第３の期間毎に、上記物理量情報を上記携帯情報端末に送信し、上記第３の期間より長い第４の期間毎に、上記物理量情報を上記情報処理装置に送信する情報送信ステップとを行い、
上記情報処理装置において、複数の上記測定装置から受信した、第１の期間とは異なる第２の期間の上記物理量情報を第２記憶部に記憶する第２記憶ステップを行い、
上記携帯情報端末において、
上記測定装置から受信した、上記第１の期間の上記物理量情報を第１記憶部に記憶する第１記憶ステップと、
ユーザから、上記第１の期間または上記第２の期間のいずれの期間の上記物理量情報を表示するかを示す表示期間の指定を受け付ける指示入力ステップと、
該ユーザに指定された上記表示期間に応じて、上記第１記憶部または上記第２記憶部のいずれの記憶部から上記物理量情報を取得するかを特定し、特定した該記憶部から上記物理量情報を取得する情報取得ステップと、
上記情報取得ステップにおいて取得した上記物理量情報を表示する制御を行う表示制御ステップとを行うことを特徴とする物理量情報提供方法。
【請求項６】
携帯情報端末、および情報処理装置と通信可能である測定装置の制御方法であって、
時間によって変化する物理量を測定する物理量測定ステップと、
上記物理量を示す物理量情報を生成する物理量情報生成ステップと、
第３の期間毎に、上記物理量情報を上記携帯情報端末に送信し、上記第３の期間より長い第４の期間毎に、上記物理量情報を上記情報処理装置に送信する情報送信ステップとを含むことを特徴とする測定装置の制御方法。
【請求項７】
時間によって変化する物理量を示す物理量情報を、測定装置と携帯情報端末と情報処理装置とを用いてユーザに提供する物理量情報提供システムについて、
上記測定装置について、
上記物理量を測定する物理量測定ステップと、
測定した上記物理量から上記物理量情報を生成する物理量情報生成ステップと、
第３の期間毎に、上記物理量情報を上記携帯情報端末に送信し、上記第３の期間より長い第４の期間毎に、上記物理量情報を上記情報処理装置に送信する情報送信ステップと、
上記情報処理装置について、複数の上記測定装置から受信した、第１の期間とは異なる第２の期間の上記物理量情報を第２記憶部に記憶する第２記憶ステップと、
上記携帯情報端末について、
上記測定装置から受信した、上記第１の期間の上記物理量情報を第１記憶部に記憶する第１記憶ステップと、
ユーザから、上記第１の期間または上記第２の期間のいずれの期間の上記物理量情報を表示するかを示す表示期間の指定を受け付ける指示入力ステップと、
該ユーザに指定された上記表示期間に応じて、上記第１記憶部または上記第２記憶部のいずれの記憶部から上記物理量情報を取得するかを特定し、特定した該記憶部から上記物理量情報を取得する情報取得ステップと、
上記情報取得ステップにおいて取得した上記物理量情報を表示する制御を行う表示制御ステップとをコンピュータに実行させる制御プログラム。
【請求項８】
携帯情報端末、および情報処理装置と通信可能である測定装置について、
時間によって変化する物理量を測定する物理量測定ステップと、
上記物理量を示す物理量情報を生成する物理量情報生成ステップと、
第３の期間毎に、上記物理量情報を上記携帯情報端末に送信し、上記第３の期間より長い第４の期間毎に、上記物理量情報を上記情報処理装置に送信する情報送信ステップとをコンピュータに実行させる制御プログラム。
【発明の詳細な説明】
【技術分野】
【０００１】
本発明は、ユーザに電力等の情報を提供する物理量情報提供システムに関する。
【背景技術】
【０００２】
近年、環境問題が取りざたされ、家庭用の電気機器を使用するユーザに対しても、環境負荷の低減、すなわち消費電力を低減することが強く求められている。家庭の消費電力を管理するシステムとして、ＨＥＭＳ（Home Energy Management System）がある。ＨＥＭＳでは、例えば、各家庭の消費電力のデータをデータセンターに設置されたサーバに送信する。ユーザはインターネットを通じてサーバにアクセスすることで消費電力量等を確認することができる。また、個々の電気機器が消費した電力量をユーザが認識できるようにするための、電気量監視装置等が提案されている（特許文献１〜３）。
【０００３】
特許文献１に記載された電気量監視装置は、電源プラグと、複数のタップとを備え、各タップ毎に流れる電流を測定し、これを基に電力または消費電力量等の電気量を求めて監視する。また、この電気量監視装置は、サーバ装置またはパソコンに、ＬＡＮケーブルを介して監視情報を伝送する。これにより、サーバ装置またはパソコン上で、タップに接続された電気機器の消費電力等を監視することができる。
【０００４】
特許文献２に記載された電力制御システムは、第一の通信媒体（無線）につながる通信処理部と総電力を検知する電力算出部を備え宅内の使用電力を監視する電力制御装置と、第一の通信媒体につながる第一の通信処理部と第二の通信媒体（ＬＡＮケーブル）につながる第二の通信処理部とＷｅｂサーバ機能部を備えた状況通知装置と、Ｗｅｂブラウザ機能と第二の通信媒体につながる通信処理部とを備えたテレビからなる。前記状況通知装置は、第一の通信媒体を介してやりとりされる前記通信機能付き家電機器または前記アダプタおよび前記電力制御装置間の通信内容を傍受し、現在の電力使用状況を第二の通信処理部からテレビに表示する。これにより、宅内の消費電力が上限を超えてブレーカーが電源を遮断する前に、個々の電気機器への通電を停止したり、消費電力が上限に近づいている旨の警告をテレビに表示させることができる。
【０００５】
特許文献３に記載された環境負荷情報提供システムは、環境負荷測定装置とリモコンとからなる。環境負荷測定装置は、テレビの電源プラグと電源コンセントの間に挿入され、テレビを使用する際に発生する環境負荷を消費電力等から算出し、リモコンに環境負荷値を送信する。リモコンは、テレビを操作するとともに環境負荷測定装置により算出された環境負荷値などをＬＣＤに表示する。これにより、ユーザはリモコンのＬＣＤで、テレビの環境負荷値を確認することができる。
【先行技術文献】
【特許文献】
【０００６】
【特許文献１】特開２００８−２６１８２６号公報（２００８年１０月３０日公開）
【特許文献２】特開２０１０−１６１８４８号公報（２０１０年７月２２日公開）
【特許文献３】特開２００８−００３８４３号公報（２００８年１月１０日公開）
【発明の概要】
【発明が解決しようとする課題】
【０００７】
しかしながら、上記従来の構成では、以下の問題を生じる。
【０００８】
特許文献１の構成では、電気量監視装置が、消費電力量等の監視情報をパソコンに送信する場合、パソコンが起動している状態でなければならない。そのため、ユーザがリアルタイムに電気機器の消費電力量を確認したい場合、常にパソコンを起動させておく必要があり、その分消費電力を増大させる結果となる。また、リアルタイムではなくても、電気機器の消費電力量を確認するためにパソコンを起動させる必要があり、ユーザが気軽に電気機器の消費電力量を確認することができない。
【０００９】
消費電力量等の監視情報をサーバ装置に送信する場合においては、別の問題が生じる。各家庭の電気量監視装置が、それぞれサーバ装置に監視情報を送信して、各家庭の消費電力量をサーバ装置において集約して監視する場合、多数の家庭の電気量監視装置からのアクセスがサーバ装置に集中する。各電気量監視装置が頻繁に監視情報をサーバ装置に送信すると、サーバ装置がダウンする可能性がある。サーバ装置にかけるコストを抑え、かつ、アクセスの集中を回避するために、実際には電気量監視装置は、長い間隔を空けて、まとめて監視情報をサーバ装置に送信することになる。それゆえ、家庭の消費電力の変動が、サーバ装置のデータにすぐに反映されないことがある。
【００１０】
一方で、ユーザに消費電力の節約を促すためには、消費電力の変動をすぐにユーザが確認できるようにすることが重要であると考えられる。例えば、省エネのために、ユーザがある電気機器の電源をオフにしたとき、即座にその節約の結果（消費電力の減少）を認識できれば、ユーザは省エネの効果を実感しやすく、ユーザに省エネ行動の動機を与えることができる。しかしながら、特許文献１の構成では、即座に各家庭の消費電力の変動をサーバ装置に送信し、ユーザに現在の消費電力の変動を提示することが難しい。
【００１１】
特許文献２の構成では、状況通知装置が、電力使用状況をパソコンまたはテレビに表示させる。そのため、ユーザは消費電力を確認するために、パソコンまたはテレビを起動する必要があり、ユーザが気軽に電気機器の消費電力量を確認することができない。また、各電気機器の消費電力を測定するアダプタに加えて、パソコンまたはテレビに情報を表示させる機能を有する状況通知装置を導入するコストも必要になる。
【００１２】
特許文献３の構成では、テレビのリモコンが環境負荷値を記憶する。しかしながら、長期間にわたって蓄積された環境負荷値のデータを記憶するためには、大容量の記憶装置を必要とする。リモコンに大容量の記憶装置を搭載すると、ユーザの導入コストが高くなる。そのため、現実的にはリモコンで確認できるのは最近の短期間の環境負荷値ということになる。
【００１３】
サーバで消費電力等を管理するＨＥＭＳでは、ユーザが低コストでシステムを導入できるという利点がある一方、サーバへの負荷の集中を避けるため、家庭からサーバへのデータ送信の頻度を上げることができないというデメリットがあった。そのため、ユーザが省エネ行動の効果をすぐに確認することができない。また、送信間隔が長いと、通信途絶と勘違いすることもある。冷暖房の調整のように作用をすぐに体感できる場合と異なり、例えば待機電力をオフにする効果は、消費電力を確認しないと実感することができない。待機電力をオフにしてすぐにその効果を確認できないと、スイッチをオフにする手間のために省エネ行動の興味が薄れやすい。
【００１４】
本発明は、上記の問題点に鑑みてなされたものであり、その目的は、導入コストが小さく、ユーザが電気機器の消費電力等の物理量の変動を即座に確認することができ、かつ、ユーザが長期間の物理量の記録をも確認することができる、物理量情報提供システムを実現することにある。
【課題を解決するための手段】
【００１５】
本発明に係る物理量情報提供システムは、時間によって変化する物理量を示す物理量情報を、ユーザに提供する物理量情報提供システムであって、上記の課題を解決するために、第１の期間の上記物理量情報を記憶する第１記憶部と、第１の期間とは異なる第２の期間の上記物理量情報を記憶する第２記憶部と、ユーザから、いずれの期間の上記物理量情報を表示するかを示す表示期間の指定を受け付ける指示入力部と、該ユーザに指定された上記表示期間に応じて、いずれの上記記憶部から上記物理量情報を取得するかを特定し、特定した該記憶部から上記物理量情報を取得する情報取得部と、上記情報取得部が取得した上記物理量情報を表示する制御を行う表示制御部とを備えることを特徴としている。
【００１６】
本発明に係る物理量情報提供方法は、時間によって変化する物理量を示す物理量情報を、ユーザに提供する物理量情報提供方法であって、上記の課題を解決するために、第１の期間の上記物理量情報を第１記憶部に記憶する第１記憶ステップと、第１の期間とは異なる第２の期間の上記物理量情報を第２記憶部に記憶する第２記憶ステップと、ユーザから、いずれの期間の上記物理量情報を表示するかを示す表示期間の指定を受け付ける指示入力ステップと、該ユーザに指定された上記表示期間に応じて、いずれの上記記憶部から上記物理量情報を取得するかを特定し、特定した該記憶部から上記物理量情報を取得する情報取得ステップと、上記情報取得ステップにおいて取得した上記物理量情報を表示する制御を行う表示制御ステップとを含むことを特徴としている。
【００１７】
本発明に係る携帯情報端末は、測定装置、および情報処理装置と通信可能である携帯情報端末であって、上記の課題を解決するために、上記測定装置が測定した物理量を示す物理量情報を、上記測定装置から受信する受信部と、受信した上記物理量情報を記憶する第１記憶部と、ユーザから、いずれの期間の上記物理量情報を表示するかを示す表示期間の指定を受け付ける指示入力部と、該ユーザに指定された上記表示期間に応じて、第１記憶部および情報処理装置が備える第２記憶部のうち、いずれの記憶部から上記物理量情報を取得するかを特定し、特定した該記憶部から上記物理量情報を取得する情報取得部と、上記情報取得部が取得した上記物理量情報を表示する制御を行う表示制御部とを備えることを特徴としている。
【００１８】
本発明に係る携帯情報端末の制御方法は、測定装置、および情報処理装置と通信可能である携帯情報端末の制御方法であって、上記の課題を解決するために、上記測定装置が測定した物理量を示す物理量情報を、上記測定装置から受信する受信ステップと、受信した上記物理量情報を上記携帯情報端末が備える第１記憶部に記憶する第１記憶ステップと、ユーザから、いずれの期間の上記物理量情報を表示するかを示す表示期間の指定を受け付ける指示入力ステップと、該ユーザに指定された上記表示期間に応じて、第１記憶部および情報処理装置が備える第２記憶部のうち、いずれの記憶部から上記物理量情報を取得するかを特定し、特定した該記憶部から上記物理量情報を取得する情報取得ステップと、上記情報取得ステップにおいて取得した上記物理量情報を表示する制御を行う表示制御ステップとを含むことを特徴としている。
【００１９】
本発明に係る測定装置は、携帯情報端末、および情報処理装置と通信可能である測定装置であって、上記の課題を解決するために、時間によって変化する物理量を測定する物理量測定部と、上記物理量を示す物理量情報を生成する物理量情報生成部と、第３の期間毎に、上記物理量情報を上記携帯情報端末に送信し、第３の期間より長い第４の期間毎に、上記物理量情報を上記情報処理装置に送信する情報送信部とを備えることを特徴としている。
【００２０】
本発明に係る測定装置の制御方法は、携帯情報端末、および情報処理装置と通信可能である測定装置の制御方法であって、上記の課題を解決するために、時間によって変化する物理量を測定する物理量測定ステップと、上記物理量を示す物理量情報を生成する物理量情報生成ステップと、第３の期間毎に、上記物理量情報を上記携帯情報端末に送信し、第３の期間より長い第４の期間毎に、上記物理量情報を上記情報処理装置に送信する情報送信ステップとを含むことを特徴としている。
【００２１】
上記の構成によれば、第１の期間の物理量情報を記憶する第１記憶部と、第２の期間の物理量情報を記憶する第２記憶部とが、役割を分担することができる。よって、上記記憶部の一方を最近の物理量情報の記憶手段とし、他方をより過去の物理量情報の記憶手段とすることもできる。そのため、例えば、上記記憶部の一方を携帯情報端末に搭載し、他方を情報処理装置に搭載すれば、情報処理装置の通信負荷を軽減することができる。よって、物理量情報提供システムの導入コストを低減することができる。
【００２２】
また、上記第１記憶部は、上記第１の期間だけ上記物理量情報を記憶しており、上記第２記憶部は、上記第２の期間だけ上記物理量情報を記憶しており、上記第２の期間は、上記第１の期間より長く、上記情報取得部は、上記第１記憶部から優先的に上記物理量情報を取得し、上記ユーザに指定された上記表示期間の上記物理量情報が上記第１記憶部に記憶されていない場合、上記第２記憶部から上記物理量情報を取得する構成でもよい。
【００２３】
上記の構成によれば、例えば、第１記憶部を携帯情報端末に搭載し、第２記憶部を情報処理装置に搭載すれば、情報処理装置の通信負荷を軽減することができる。よって、物理量情報提供システムの導入コストを低減することができる。
【００２４】
また、上記物理量情報提供システムは、測定装置と携帯情報端末と情報処理装置とを備え、上記測定装置は、上記物理量を測定する物理量測定部と、測定した上記物理量から上記物理量情報を生成する物理量情報生成部と、第３の期間毎に、上記物理量情報を上記携帯情報端末に送信し、上記第３の期間より長い第４の期間毎に、上記物理量情報を上記情報処理装置に送信する情報送信部とを備え、上記情報処理装置は、複数の上記測定装置から受信した上記物理量情報を記憶する上記第２記憶部を備え、上記携帯情報端末は、上記測定装置から受信した上記物理量情報を記憶する上記第１記憶部と、上記指示入力部と、上記情報取得部と、上記表示制御部とを備える構成であってもよい。
【００２５】
上記の構成によれば、測定装置の情報送信部が、第３の期間毎に、上記物理量情報を上記携帯情報端末に送信し、上記第３の期間より長い第４の期間毎に、上記物理量情報を上記情報処理装置に送信する。よって、携帯情報端末の第１記憶部はより頻繁に更新される物理量情報を記憶している。そのため、ユーザは、携帯情報端末の第１記憶部によって、即座に物理量の変動等を確認することができる。また、情報処理装置の通信負荷を軽減することができる。
【００２６】
また、上記第２記憶部は、ユーザが異なる複数の上記測定装置から受信した上記物理量情報を記憶する構成であってもよい。
【００２７】
上記の構成によれば、ユーザは専用の情報処理装置を用意する必要がないので、物理量情報提供システムの導入コストを低減することができる。また、第１記憶部と第２記憶部とで役割を分担することで、情報処理装置の通信負荷も低減することができる。
【００２８】
また、上記物理量は、電気機器の電流、電圧、または電力であってもよい。
【００２９】
上記の構成によれば、ユーザは、迅速に電気機器の電力等を確認することができる。
【００３０】
また、上記第１記憶部が記憶する上記物理量情報の時間刻みは、上記第２記憶部が記憶する上記物理量情報の時間刻みよりも細かくてもよい。
【００３１】
上記の構成によれば、第１記憶部は、ユーザが指定する表示期間が短い場合の表示に適した物理量情報を有しており、第２記憶部は、ユーザが指定する表示期間が長い場合の表示に適した物理量情報を有している。そのため、情報取得部は、ユーザから指定された表示期間に応じて、第１記憶部または第２記憶部から選択的に物理量情報を取得することができる。
【００３２】
なお、上記物理量情報提供システム、上記測定装置、および上記携帯情報端末は、一部をコンピュータによって実現してもよく、この場合には、コンピュータを上記各部として動作させる制御プログラム、および上記制御プログラムを記録したコンピュータ読み取り可能な記録媒体も、本発明の範疇に入る。
【発明の効果】
【００３３】
以上のように、本発明によれば、第１記憶部および第２記憶部の役割を分担して利用することができる。よって、上記記憶部の一方を最近の物理量情報の記憶手段とし、他方をより過去の物理量情報の記憶手段とすることもできる。そのため、例えば、上記記憶部の一方を携帯情報端末に搭載し、他方を情報処理装置に搭載すれば、情報処理装置の通信負荷を軽減することができる。よって、物理量情報提供システムの導入コストを低減することができる。
【図面の簡単な説明】
【００３４】
【図１】本発明の実施の一形態に係る電力情報提供システムの構成の概要を示す図である。
【図２】上記電力情報提供システムのセンサの機能的構成を示すブロック図である。
【図３】上記電力情報提供システムのサーバの機能的構成を示すブロック図である。
【図４】サーバ記憶部が記憶する第２の電力情報を示す図である。
【図５】上記電力情報提供システムの携帯情報端末の機能的構成を示すブロック図である。
【図６】端末記憶部が記憶する第１の電力情報を示す図である。
【図７】上記センサにおける処理の流れを示すフローチャートである。
【図８】上記携帯情報端末における処理の流れを示すフローチャートである。
【図９】（ａ）は、直近の２時間の電力情報の表示例を示す図であり、（ｂ）は、直近の１８時間の電力情報の表示例を示す図である。
【発明を実施するための形態】
【００３５】
以下、本実施の形態について、図１〜図９を参照して詳細に説明する。
【００３６】
＜電力情報提供システムの構成＞
図１は、本実施の形態に係る電力情報提供システム１の構成の概要を示す図である。電力情報提供システム（物理量情報提供システム）１は、ユーザ宅で使用された消費電力等の電力情報を、該ユーザに提供するシステムである。ユーザ宅には、外部から電力を供給する電力線が引かれており、電力線はブレーカ２に接続されている。ブレーカ２からユーザ宅内に複数の配線が設置され、各種の電気機器３が接続されて使用される。
【００３７】
電力情報提供システム１は、メインセンサ（測定装置）４、複数のサブセンサ（測定装置）５、携帯情報端末６、無線ＬＡＮルータ７、インターネット８に接続されたサーバ（情報処理装置）９を備える。メインセンサ４、複数のサブセンサ５、および無線ＬＡＮルータ７は、ユーザ宅内に設置されている。
【００３８】
メインセンサ４は、ユーザ宅内に入る電力線とブレーカ２との間に配置されており、ブレーカ２に流れる電流および電圧、または電力を測定する。
【００３９】
サブセンサ５は、電源プラグとタップとを備え、電源プラグがユーザ宅内のコンセントに接続され、タップに接続された電気機器３に電力を供給する。サブセンサ５は、タップに接続された電気機器３に流れる電流、電圧、および電力を測定する。
【００４０】
メインセンサ４およびサブセンサ５は、無線通信機能を有し、測定した電力等の電力情報を、アドホック接続によりユーザの持つ携帯情報端末６に送信する。また、メインセンサ４およびサブセンサ５は、無線ＬＡＮルータ７を介して、サーバ９に電力情報を送信する。無線通信としては、任意の方式を用いることができるが、例えばＷｉＦｉ（登録商標）規格に準拠した携帯情報端末および無線ＬＡＮルータが普及してきており、それを用いて行うことができる。
【００４１】
無線ＬＡＮルータ７は、パソコン等を無線でインターネットに接続するために、一般的に普及している無線ＬＡＮルータである。ここでは、パソコン等は図示していない。
【００４２】
無線アクセスポイント１０は、携帯電話が通話またはネットワーク通信を行うための無線アクセスポイント（アンテナ基地局）である。無線アクセスポイント１０は、インターネット８に接続されている。
【００４３】
＜センサの構成＞
図２は、センサ４・５の機能的構成を示すブロック図である。メインセンサ４およびサブセンサ５は、共に、電力等を測定し、その電力情報を外部に送信する機能を有するので、ここではセンサ４・５としてまとめて説明する。センサ４・５は、電力測定部（物理量測定部）１１、センサ記憶部１２、電力情報生成部（物理量情報生成部）１３、および情報送信部１４を備える。
【００４４】
電力測定部１１は、センサ４・５に接続されている電気機器３に流れる電流、および電気機器３に加わる電圧を測定することにより、電気機器３で使用される電力を測定する。メインセンサ５のように、ブレーカ２の手前に配置されている場合、電力測定部１１は、それにつながる全ての電気機器３の使用する電力の合計を測定することになる。なお、電力測定部１１は、電流のみを測定し、電流に定格電圧を乗じて電力を求めてもよい。電力測定部１１は、常時、または比較的短い所定の期間毎（例えば１秒毎）に、電力の測定を行い、測定した電力のデータをセンサ記憶部１２に記憶させる。
【００４５】
電力情報生成部１３は、センサ記憶部１２から電力のデータを取得し、所定の第１の期間毎、例えば１５秒毎に、その第１の期間（１５秒間）の平均電力を求める。電力情報生成部１３は、第１の期間の平均電力を、その第１の期間（測定時刻、測定期間）の情報と対応付けて第１の電力情報としてセンサ記憶部１２に記憶させる。また、電力情報生成部１３は、センサ記憶部１２から電力のデータを取得し、第１の期間より長い所定の第２の期間毎、例えば１０分毎に、その第２の期間（１０分間）の平均電力を求める。電力情報生成部１３は、第２の期間の平均電力を、第２の電力情報としてセンサ記憶部１２に記憶させる。なお、電力情報生成部１３は、所定の期間の消費電力量または平均電流等を求めて、電力情報としてもよい。また、電力情報生成部１３は、消費電力量に所定の係数を乗じて得られる二酸化炭素排出量を電力情報としてもよい。二酸化炭素排出量は、電気機器で使用された電力を示す１つの指標となる。
【００４６】
情報送信部１４は、無線通信によって携帯情報端末６および無線ＬＡＮルータ７と通信を行う。情報送信部１４は、第１の期間（１５秒）毎に、センサ記憶部１２から第１の電力情報を取得し、第１の電力情報をユーザの携帯情報端末６に送信する。また、情報送信部１４は、第２の期間（１０分）毎に、センサ記憶部１２から第２の電力情報を取得し、第２の電力情報を無線ＬＡＮルータ７を介して、メーカまたはユーザによってあらかじめ設定されている所定のサーバ９に送信する。また、情報送信部１４は、第１の電力情報と共に、対応する測定時刻、測定期間（時間幅）、ユーザＩＤ、およびセンサＩＤをサーバ９に送信する。
【００４７】
通信環境等の要因により、携帯情報端末６またはサーバ９に、第１または第２の電力情報を送信できなかった場合に備えて、再送信のためのリカバリー用データとして、センサ記憶部１２は、未送信の第１の電力情報および第２の電力情報をそれぞれ保持しておく。
【００４８】
＜サーバの構成＞
図３は、サーバ９の機能的構成を示すブロック図である。サーバ９は、サーバ通信部１５、およびサーバ記憶部１６を備える。サーバ９はインターネットに接続されている。
【００４９】
サーバ通信部１５は、インターネットを介してメインセンサ４、サブセンサ５、および携帯情報端末６と通信を行う。サーバ通信部１５は、メインセンサ４またはサブセンサ５から、第２の電力情報を受信すると、サーバ記憶部１６に第２の電力情報を記憶させる。なお、サーバ９は、複数のユーザに利用されており、異なるユーザ宅の複数のセンサから送信された第２の電力情報をサーバ記憶部１６に記憶する。また、携帯情報端末６から第２の電力情報の要求を受け取る、サーバ通信部１５は、対応するユーザおよびセンサの、第２の電力情報を携帯情報端末６に送信する。
【００５０】
サーバ記憶部１６は、センサ４・５から定期的（１０分毎）に送信されてくる第２の電力情報を記憶する。サーバ記憶部１６は、例えば、受け取った直近の第２の電力情報の時刻（電力の測定時刻）から１年前までの第２の電力情報を記憶している。すなわち、サーバ記憶部１６は、１つのセンサにつき、第２の期間（１０分）刻みで直近の１年分（約５２５６０個）の第２の電力情報を記憶している。
【００５１】
図４は、サーバ記憶部１６が記憶する第２の電力情報を示す図である。サーバ記憶部１６は、複数のユーザについて、複数のセンサの、第２の電力情報を記憶する。サーバ記憶部１６は、ユーザＩＤ、センサＩＤ、測定時刻、第２の期間の時間幅、および該期間の平均電力を対応付けて記憶する。
【００５２】
＜携帯情報端末の構成＞
図５は、携帯情報端末６の機能的構成を示すブロック図である。携帯情報端末６は、表示機能と無線通信機能（例えばＷｉＦｉ通信機能）とを有する携帯情報端末である。携帯情報端末６のハードとしては、一般的に普及しているスマートフォンと呼ばれる携帯電話端末を利用することができる。本実施の形態の携帯情報端末６は、携帯情報端末６にインストールされた電力情報提供アプリケーションによって、ユーザに電力情報を提供する機能を実現する。電力情報提供アプリケーションの、センサ４・５から電力情報を受信するプログラムが常駐して動作し、センサ４・５から定期的に送信されてくる電力情報を受信する。なお、電池の消耗が気になる場合、充電中にのみ受信動作をするようにしてもよい。携帯情報端末６は、端末通信部（受信部）１７、端末記憶部１８、指示入力部１９、情報取得部（物理量情報取得部）２０、表示制御部２１、および表示部２２を備える。
【００５３】
端末通信部１７は、無線通信によってセンサ４・５、無線ＬＡＮルータ７、および無線アクセスポイント１０と通信を行う。端末通信部１７は、センサ４・５から定期的（１５秒毎）に送信されてくる第１の電力情報を受信し、受信した第１の電力情報を端末記憶部１８に記憶させる。また、端末通信部１７は、情報取得部２０の指示により、サーバ９から第２の電力情報を取得して、第２の電力情報を情報取得部２０に出力する。端末通信部１７は、取得した第２の電力情報を端末記憶部１８に記憶させてもよい。
【００５４】
端末記憶部１８は、センサ４・５から定期的（１５秒毎）に送信されてくる第１の電力情報を記憶する。携帯情報端末６が備える記憶装置は、一般にサーバに搭載される記憶装置と比べて容量が小さいため、所定の期間を過ぎた第１の電力情報は削除する。端末記憶部１８は、例えば、受け取った直近の第１の電力情報の時刻（電力の測定時刻）から２時間前までの第１の電力情報を記憶している。すなわち、端末記憶部１８は、１つのセンサにつき、第１の期間（１５秒）刻みで直近の２時間分（約４８０個）の第１の電力情報を記憶している。
【００５５】
指示入力部１９は、携帯情報端末６が備えるキー、ボタン、またはタッチパネル等の入力装置から、ユーザの指示の入力を受け付ける。ユーザは、入力装置を操作して、いずれの期間の電力情報を携帯情報端末６に表示させるかを、表示期間として指示する。この場合、ユーザの指示は、表示期間の指定を含む。指示入力部１９は、受け付けたユーザの指示（指定された表示期間、および指定されたセンサの情報）を情報取得部２０に出力する。
【００５６】
情報取得部２０は、受け取ったユーザの指示に基づき、第１の電力情報または第２の電力情報を取得する。具体的には、情報取得部２０は、指定された表示期間の電力情報が、端末記憶部１８に記憶されている場合、端末記憶部１８から第１の電力情報を取得する。また、情報取得部２０は、指定された表示期間の電力情報が、端末記憶部１８に記憶されていない場合、端末通信部１７に対して、サーバ９から第２の電力情報を取得するよう指示する。情報取得部２０は、取得した指定の表示期間の第１または第２の電力情報と、ユーザの指示とを表示制御部２１に出力する。
【００５７】
表示制御部２１は、受け取った電力情報を表示部２２に表示させるよう表示部２２を制御し、指定の表示期間における電力情報をユーザに提示する。
【００５８】
表示部２２は、ディスプレイ等を備え、指定の表示期間における電力情報をディスプレイに表示する。
【００５９】
図６は、端末記憶部１８が記憶する第１の電力情報を示す図である。端末記憶部１８は、あるユーザについて、複数のセンサの、第１の電力情報を記憶する。端末記憶部１８は、ユーザＩＤ、センサＩＤ、測定時刻、第１の期間の時間幅、および該期間の平均電力を対応付けて記憶する。
【００６０】
＜センサの処理フロー＞
次に、センサ４・５における処理の流れについて説明する。図７は、センサ４・５における処理の流れを示すフローチャートである。
【００６１】
電力測定部１１が、センサ４・５に接続されている電気機器３の電力の測定を行う（Ｓ１）。電力測定部１１は、測定した電力のデータをセンサ記憶部１２に記憶させる。
【００６２】
現在の時刻ｔが第１の時刻（１５秒毎の所定の時刻）である場合（Ｓ２でＹｅｓ）、電力情報生成部１３は、直近の第１の期間（１５秒間）の電力のデータをセンサ記憶部１２から取得し、第１の期間の平均電力を求め、第１の電力情報を生成する（Ｓ３）。例えば、時刻ｔ１〜時刻ｔ２（ｔ２＝ｔ１＋１５［秒］）の平均電力を、時刻ｔ２の第１の電力情報とし、時刻ｔ２〜時刻ｔ３（ｔ３＝ｔ２＋１５［秒］）の平均電力を、時刻ｔ３の第１の電力情報とする。電力情報生成部１３は、生成した第１の電力情報を、センサ記憶部１２に記憶させる。
【００６３】
情報送信部１４は、センサ記憶部１２に記憶されている第１の電力情報を、携帯情報端末６に送信する（Ｓ４）。このとき、過去の第１の電力情報について、通信エラー等により携帯情報端末６に送信できていない第１の電力情報がセンサ記憶部１２に存在すれば、その未送信の第１の電力情報も携帯情報端末６に送信する。
【００６４】
第１の電力情報の送信が成功した場合（Ｓ５でＹｅｓ）、情報送信部１４は、該時刻の第１の電力情報が送信済みであることを、センサ記憶部１２に記憶させる（Ｓ６）。なお、送信済みの第１の電力情報をセンサ記憶部１２から削除してもよい。
【００６５】
第１の電力情報の送信に失敗した場合（Ｓ５でＮｏ）、情報送信部１４は、送信処理を停止し、該時刻の第１の電力情報が未送信であることを、センサ記憶部１２に記憶させる（Ｓ７）。例えば、携帯情報端末６との通信環境が悪化した場合、または、ユーザが携帯情報端末６を持って外出した場合等は、情報送信部１４は携帯情報端末６と通信を行うことができない。
【００６６】
時刻ｔが第１の時刻ではない場合（Ｓ２でＮｏ）、あるいは、Ｓ６またはＳ７の後、次の処理へ進む。
【００６７】
時刻ｔが第２の時刻（１０分毎の所定の時刻）である場合（Ｓ８でＹｅｓ）、電力情報生成部１３は、直近の第２の期間（１０分間）の電力のデータをセンサ記憶部１２から取得し、第２の期間の平均電力を求め、第２の電力情報を生成する（Ｓ９）。例えば、時刻ｔ４〜時刻ｔ５（ｔ５＝ｔ４＋１０［分］）の平均電力を、時刻ｔ５の第２の電力情報とし、時刻ｔ５〜時刻ｔ６（ｔ６＝ｔ５＋１０［分］）の平均電力を、時刻ｔ６の第２の電力情報とする。電力情報生成部１３は、生成した第２の電力情報を、センサ記憶部１２に記憶させる。
【００６８】
情報送信部１４は、センサ記憶部１２に記憶されている第２の電力情報を、無線ＬＡＮルータ７を介してサーバ９に送信する（Ｓ１０）。このとき、過去の第２の電力情報について、通信エラー等によりサーバ９に送信できていない第２の電力情報がセンサ記憶部１２に存在すれば、その未送信の第２の電力情報もサーバ９に送信する。
【００６９】
第２の電力情報の送信が成功した場合（Ｓ１１でＹｅｓ）、情報送信部１４は、該時刻の第２の電力情報が送信済みであることを、センサ記憶部１２に記憶させる（Ｓ１２）。なお、送信済みの第２の電力情報をセンサ記憶部１２から削除してもよい。
【００７０】
第２の電力情報の送信に失敗した場合（Ｓ１１でＮｏ）、情報送信部１４は、送信処理を停止し、該時刻の第２の電力情報が未送信であることを、センサ記憶部１２に記憶させる（Ｓ１３）。例えば、無線ＬＡＮルータ７との通信環境が悪化した場合、情報送信部１４はサーバ９と通信を行うことができない。
【００７１】
時刻ｔが第２の時刻ではない場合（Ｓ８でＮｏ）、あるいは、Ｓ１２またはＳ１３の後、Ｓ１の処理へ戻る。
【００７２】
＜携帯情報端末の処理フロー＞
次に、携帯情報端末６における処理の流れについて説明する。図８は、携帯情報端末６における処理の流れを示すフローチャートである。
【００７３】
ユーザは、携帯情報端末６が備えるキー、ボタン、またはタッチパネル等の入力装置を操作して、電力情報を表示させる指示を指示入力部１９に入力する。このとき、ユーザは、いずれのセンサ４・５の、いずれの期間（表示期間）について、その電力情報を表示させるかを指定する。例えば、表示期間について、表示する最先の時刻ｔｒおよび表示する期間の長さｔｌ（例えば、２時間、１日間、または１ヶ月間等）をユーザに指定させることにより、時刻（ｔｒ）から時刻（ｔｒ＋ｔｌ）までの期間を表示期間としてもよい。時刻に代えて日付等を指定させてもよい。特に指定のない場合、ユーザの指示は、所定のセンサについての、所定の期間（例えば直近の２時間）の電力情報を表示させる指示であるとする。なお、ユーザは、電力情報を表示する縦軸のスケールについても指定してもよい。
【００７４】
指示入力部１９は、ユーザからの指示を受け付ける（Ｓ２１）。指示入力部１９は、ユーザの指示を情報取得部２０に出力する。ユーザの指示は、指定されたセンサ４・５のセンサＩＤ、および指定された表示期間の情報を含む。
【００７５】
情報取得部２０は、ユーザの指示に基づき、第１の電力情報および第２の電力情報のいずれかを選択（特定）して、取得する。
【００７６】
指定された表示期間が現在から２時間前までの間である場合（Ｓ２２でＹｅｓ）、情報取得部２０は、指定されたセンサについての指定された表示期間の第１の電力情報を端末記憶部１８から取得する（Ｓ２３）。端末記憶部１８は、直近から２時間前までの第１の電力情報を記憶している。端末記憶部１８に記憶されている第１の電力情報は、時間刻みの小さい（１５秒毎の）詳細な電力情報である。そのため、表示期間が現在から２時間前までの間である場合は、端末記憶部１８の第１の電力情報を使用して、ユーザに詳細な（時間刻みの小さい）電力情報を提供することができる。情報取得部２０は、端末記憶部１８に記憶されている第１の電力情報を用いて、指定されたセンサについての指定された期間の電力情報を表すことができる場合（指定されたセンサについての指定された期間の電力情報が端末記憶部１８に存在する場合）、端末記憶部１８からユーザに提示する電力情報を取得する。
【００７７】
指定された表示期間が２時間より前の期間を含む場合（Ｓ２２でＮｏ）、情報取得部２０は、指定されたセンサについての指定された表示期間の第２の電力情報を取得する命令を端末通信部１７に出力する。端末通信部１７は、指定されたセンサについての指定された表示期間の第２の電力情報を、無線ＬＡＮルータ７または無線アクセスポイント１０を介してサーバ９から取得する（Ｓ２４）。サーバ９に記憶されている第２の電力情報は、時間刻みの大きい（１０分毎の）電力情報であるが、サーバ９は、直近から１年前までの第２の電力情報を記憶している。そのため、１年前までの電力情報を、ユーザに提供することができる。情報取得部２０は、端末記憶部１８に記憶されている第１の電力情報を用いて、指定されたセンサについての指定された期間の電力情報を表すことができない場合（指定されたセンサについての指定された期間の電力情報が端末記憶部１８に存在しない場合）、サーバ９からユーザに提示する電力情報を取得する。
【００７８】
Ｓ２３またはＳ２４の後、表示制御部２１は、取得した第１または第２の電力情報を、表示部２２に表示させる（Ｓ２５）。
【００７９】
＜電力情報の表示＞
ユーザが携帯情報端末６に、電力情報を表示させる指示を入力すると、携帯情報端末６は、例えばメインセンサ４のデフォルトの期間（直近の２時間）の電力情報を表示する。直近の２時間の電力情報は、携帯情報端末６の端末記憶部１８に記憶されているので、携帯情報端末６は、端末記憶部１８から第１の電力情報を読み出し、第１の電力情報を表示部２２に表示する。
【００８０】
図９（ａ）は、直近の２時間の電力情報の表示例を示す図である。現在時刻を１８時とする。直近の２時間については、携帯情報端末６が詳細な（１５秒刻みの）電力情報（第１の電力情報）を有しているので、電力の詳細な変化を表示することができる。また、情報の更新が早いので、「１分前にテレビの電源をオフにした」という場合でも、図９（ａ）の右端（１８：００頃）に示されるように、消費電力が減っていることを確認することができる。
【００８１】
また、ユーザが携帯情報端末６に、表示期間を例えば直近の１８時間に変更する指示を入力すると、携帯情報端末６の端末記憶部１８は２時間より前の電力情報を記憶していないので、携帯情報端末６はサーバ９のサーバ記憶部１６から、直近の１８時間の第２の電力情報を取得し、第２の電力情報を表示部２２に表示する。
【００８２】
図９（ｂ）は、直近の１８時間の電力情報の表示例を示す図である。２時間より前については、１０分刻みの電力情報（第２の電力情報）しかないが、長期間の消費電力の変化をユーザに提示することができる。
【００８３】
一定のサイズの画面に、図９（ａ）、図９（ｂ）に示すような電力情報のグラフを表示する場合、図９（ｂ）のように表示期間が長ければ、表示するグラフの１時間分の幅は短くなる。よって、表示期間が長い場合、時間刻みの細かいデータは必要ない。一方、図９（ａ）のように表示期間が短ければ、表示するグラフの１時間分の幅は長くなる。そのため、表示期間が短ければ、一定期間についてより詳細な（時間刻みの細かい）データを表示することができる（表示する必要がある）。電力情報提供システム１は、携帯情報端末６の端末記憶部１８に時間刻みの細かい第１の電力情報を記憶させ、サーバ９のサーバ記憶部１６に時間刻みの粗い第２の電力情報を記憶させる。そのため、端末記憶部１８は、短い表示期間に適合した電力情報を記憶し、サーバ記憶部１６は、長い表示期間に適合した電力情報を記憶していることになる。
【００８４】
なお、センサ４・５からの電波が届きにくい位置に携帯情報端末６が置かれていた場合、携帯情報端末６をユーザ宅から持ち出している場合、または携帯情報端末６の電池切れの場合等では、センサから受信すべき第１の電力情報を携帯情報端末６が受信できない。例えば、携帯情報端末６は、直近の２時間の電力情報を表示するために、電力情報を優先的に内部の端末記憶部１８から取得するが、端末記憶部１８に当該期間の電力情報がない場合、サーバ９から当該期間の第２の電力情報を取得する。外出先からは、１５秒刻みの詳細な電力情報を取得することができないが、外出中はユーザは積極的に省エネ行動をとることもできないので１０分刻みの粗い電力情報でもユーザを満足させられる。
【００８５】
本実施の形態では、短い間隔でセンサ４・５から携帯情報端末６に電力情報が送信され、より長い間隔でセンサ４・５からサーバ９に電力情報が送信される。ユーザから電力情報を表示する指示が入力されたとき、携帯情報端末６は、優先的に端末記憶部１８にある第１の電力情報を使用して、ユーザに電力情報を提示する。端末記憶部１８にある第１の電力情報ではユーザが指定した条件（表示期間、または、時間刻みの細かさ等）で電力情報を表示できない場合、携帯情報端末６は、サーバ９から第２の電力情報を取得して、ユーザに電力情報を提示する。よって、第１の電力情報は更新が早いので、ユーザは、省エネ行動の効果をすぐに携帯情報端末６で確認することができ、かつ、サーバ９の第２の電力情報によって長期間の電力情報を確認することができる。例えば、ユーザが最新の消費電力情報を細かい刻みで確認できることにより、実感しにくい待機電力等の削減の効果をユーザに提示することができ、ユーザの省エネ行動に動機を与えることができる。その一方で、サーバ９の通信負荷は低レベルに抑えることができるので、サーバにかけるコストを抑えることができる。また、頻繁に確認する必要にない情報（所定の時間より前の電力情報）は、サーバ９の大容量のサーバ記憶部１６に記憶させるので、携帯情報端末６の端末記憶部１８の容量を浪費せずに済む。また、ユーザは、センサ４・５の設置することと、携帯情報端末６に電力情報提供アプリケーションをインストールすることによって、電力情報提供システム１を導入することができる。サーバ等の専用装置を個々に用意する必要がないので、低コストで電力情報提供システム１を導入することができる。
【００８６】
＜他の変形例＞
本発明をビルまたは工場に適用し、ビルの各機器の電力または工場の各設備の電力等を測定して、携帯情報端末およびサーバに送信してもよい。
【００８７】
また、上記のシステムでは、電気機器の電力を測定し、ユーザに提示する形態について説明したが、電力に限らず、時間に応じて変化する任意の物理量を測定して該物理量の情報をユーザに提示してもよい。例えば、センサが電気機器のある位置における温度を測定し、温度情報を携帯情報端末およびサーバに送信する構成であってもよい。
【００８８】
また、センサは、第２の電力情報を、サーバだけでなく携帯情報端末にも送信してもよい。携帯情報端末は、端末記憶部の容量の許す範囲で、第２の電力情報を保持してもよい。携帯情報端末が第２の電力情報を有していれば、データは粗いが、少ない容量で、長期間の電力情報を、サーバにアクセスすることなく迅速にユーザに提示することができる。
【００８９】
また、センサは、第２の電力情報より時間刻みの粗い、第３の電力情報を生成し、携帯情報端末に送信してもよい。第３の電力情報は時間刻みが粗いので、少ない容量で、長期間（２時間より前）の電力情報を、携帯情報端末が保持することができる。よって、ユーザが、２時間より前の電力情報の表示を指示した場合に、携帯情報端末がサーバから第２の電力情報を取得している間、時間刻みの粗い第３の電力情報をユーザに提示しておくことで、ユーザの快適度を向上させることができる。
【００９０】
また、例えば、センサが、第１の期間（１５秒間）に５秒毎に平均電力を求め、３つの平均電力の値を、第１の期間における電力を示す電力情報として、第１の期間毎（１５秒毎）に携帯情報端末にまとめて送信してもよい。サーバに送信する第２の電力情報も同様である。また、平均電力を求めて第１（または第２）の電力情報を生成する周期と、携帯情報端末（またはサーバ）に送信する周期とが異なっていてもよい。
【００９１】
また、ユーザの指示に基づいて、表示制御部は、細かい時間刻みと、粗い時間刻みの２種類の電力情報を、表示部に同時に表示させてもよい。
【００９２】
最後に、センサ４・５、携帯情報端末６、およびサーバ９の各ブロック、特に電力測定部１１、電力情報生成部１３、情報送信部１４、サーバ通信部１５、端末通信部１７、指示入力部１９、情報取得部２０、および表示制御部２１は、ハードウェアロジックによって構成してもよいし、次のようにＣＰＵ（central processing unit）を用いてソフトウェアによって実現してもよい。
【００９３】
すなわち、センサ４・５、携帯情報端末６、およびサーバ９は、各機能を実現する制御プログラムの命令を実行するＣＰＵ、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるセンサ４・５、携帯情報端末６、およびサーバ９の制御プログラムのプログラムコード（実行形式プログラム、中間コードプログラム、ソースプログラム）をコンピュータで読み取り可能に記録した記録媒体を、各センサ４・５、携帯情報端末６、およびサーバ９に供給し、そのコンピュータ（またはＣＰＵやＭＰＵ（microprocessor unit））が記録媒体に記録されているプログラムコードを読み出し実行することによっても、達成可能である。
【００９４】
上記記録媒体としては、例えば、磁気テープやカセットテープ等のテープ系、フロッピー（登録商標）ディスク／ハードディスク等の磁気ディスクやＣＤ−ＲＯＭ（compact disc read-only memory）／ＭＯ（magneto-optical）／ＭＤ（Mini Disc）／ＤＶＤ（digital versatile disk）／ＣＤ−Ｒ（CD Recordable）等の光ディスクを含むディスク系、ＩＣカード（メモリカードを含む）／光カード等のカード系、あるいはマスクＲＯＭ／ＥＰＲＯＭ（erasable programmable read-only memory）／ＥＥＰＲＯＭ（electrically erasable and programmable read-only memory）／フラッシュＲＯＭ等の半導体メモリ系などを用いることができる。
【００９５】
また、センサ４・５、携帯情報端末６、およびサーバ９を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ（local area network）、ＩＳＤＮ（integrated services digital network）、ＶＡＮ（value-added network）、ＣＡＴＶ（community antenna television）通信網、仮想専用網（virtual private network）、電話回線網、移動体通信網、衛星通信網等が利用可能である。また、通信ネットワークを構成する伝送媒体としては、特に限定されず、例えば、ＩＥＥＥ（institute of electrical and electronic engineers）１３９４、ＵＳＢ、電力線搬送、ケーブルＴＶ回線、電話線、ＡＤＳＬ（asynchronous digital subscriber loop）回線等の有線でも、ＩｒＤＡ（infrared data association）やリモコンのような赤外線、Ｂｌｕｅｔｏｏｔｈ（登録商標）、８０２．１１無線、ＨＤＲ（high data rate）、携帯電話網、衛星回線、地上波デジタル網等の無線でも利用可能である。
【００９６】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００９７】
本発明は、電力情報提供システムに利用することができる。
【符号の説明】
【００９８】
１    電力情報提供システム（物理量情報提供システム）
２    ブレーカ
３    電気機器
４    メインセンサ（測定装置）
５    サブセンサ（測定装置）
６    携帯情報端末
７    無線ＬＡＮルータ
８    インターネット（ネットワーク）
９    サーバ（情報処理装置）
１０    無線アクセスポイント
１１    電力測定部（物理量測定部）
１２    センサ記憶部
１３    電力情報生成部（物理量情報生成部）
１４    情報送信部
１５    サーバ通信部
１６    サーバ記憶部
１７    端末通信部（受信部）
１８    端末記憶部
１９    指示入力部
２０    情報取得部
２１    表示制御部
２２    表示部
【図１】
0005429145.tif 000002
【図２】
0005429145.tif 000003
【図３】
0005429145.tif 000004
【図４】
0005429145.tif 000005
【図５】
0005429145.tif 000006
【図６】
0005429145.tif 000007
【図７】
0005429145.tif 000008
【図８】
0005429145.tif 000009
【図９】
0005429145.tif 000010